(57)【要約】飲用ボトル（２００）のためのコップ蓋（１００；１００’）であって、注ぎ出し開口部（４１）を備えたベース要素（４０）、ベース要素（４０）と関節式に結合されており、かつ注ぎ出し開口部（４１）を密閉するための封止要素（６１）と結合しているキャップ（２０）、キャップ（２０）とベース要素（４０）の間の外し得る結合を成立させるための係止要素（１０）を含むコップ蓋（１００；１００’）。キャップ（２０）は、キャップ上部（２１）およびキャップ下部（２２）を含んでおり、キャップ下部（２２）は漏斗面（２３）を有している。キャップ（２０）に封鎖要素（１１）が設けられており、封鎖要素（１１）はその下側で凸状の天井面（１３）を有しており、天井面（１３）の中心部に球収容部（１７）がもたらされており、球収容部（１７）は、漏斗面（２３）の深くなった中心部に向かい合っている。キャップ（２０）の閉じた位置では、球（３０）は、漏斗面（２３）と天井面（１３）の間につくりだされた収容空間（２５、２５’）内で、漏斗面（２３）と、天井面（１３）のうち空隙（１７）の外にある部分との間で可動であり、かつ封鎖要素（１１）はブロックされている。キャップ（２０）の係止解除位置では、球（３０）は球収容部（１７；１７’）の中にあり、かつ封鎖要素は可動である。
2019514808.tif 000002
【特許請求の範囲】
【請求項１】
飲用容器（２００）のためのコップ蓋（１００；１００’）であって、
少なくとも、
−  少なくとも１つの注ぎ出し開口部（４１）を備えた、前記飲用容器（２００）と結合させるべきベース要素（４０）、
−  前記ベース要素（４０）と関節式に結合されており、かつ前記注ぎ出し開口部（４１）を密閉するための少なくとも１つの封止要素（６１）を有するキャップ（２０）、
−  前記キャップ（２０）と前記ベース要素（４０）の間の外し得る結合を成立させるための係止要素（１０）、
を含むコップ蓋（１００；１００’）において、
−  前記キャップ（２０）は、キャップ上部（２１）およびキャップ下部（２２）を含んでおり、前記キャップ下部（２２）は、球（３０）のための中心合わせ手段（２３）を有していること、
−  前記係止要素（１０）は、前記キャップ（２０）の中に配置された封鎖要素（１１）を含んでおり、前記封鎖要素（１１）はその下側で凸状の天井面（１３）を有しており、前記天井面（１３）の中心部に球収容部（１７）がもたらされており、前記球収容部（１７）は、前記中心合わせ手段（２３）の深くなった中心部に向かい合っていること、
−  前記キャップ（２０）の係止解除位置では、前記球（３０）は前記球収容部（１７；１７’）の中にあり、かつ前記封鎖要素（１１）は可動であること、ならびに
−  前記キャップ（２０）の閉じた位置では、前記球（３０）は前記漏斗面（２３）と前記天井面（１３）の間で可動であり、かつ前記封鎖要素（１１）はブロックされていること
を特徴とするコップ蓋（１００；１００’）。
【請求項２】
前記キャップ（２０）は、キャップ上部（２１）およびキャップ下部（２２；２２’）を含んでおり、前記キャップ上部（２１）と前記キャップ下部（２２；２２’）の間に中空空間（２５；２５’）が形成されており、前記中空空間（２５；２５’）内に前記球（３０）が配置されていることを特徴とする請求項１に記載のコップ蓋（１００；１００’）。
【請求項３】
前記中心合わせ手段（２３）は、凹状の漏斗面（２３）により、ことを特徴とする請求項１または２に記載のコップ蓋（１００；１００’）。
【請求項４】
前記天井面（２３）は円錐曲線状であることを特徴とする請求項１乃至３のいずれか一項に記載のコップ蓋（１００；１００’）。
【請求項５】
前記係止要素（１０）は、旋回可動式に前記キャップ（２０）で支持されていることを特徴とする請求項１乃至４のいずれか一項に記載のコップ蓋（１００；１００’）。
【請求項６】
前記係止要素（１０）は、前記キャップ（２０）内の空隙を通って外へと延びており、かつ押し側板（１２）内に続いており、前記押し側板（１２）に、前記係止要素（１０）の旋回軸受（１４）が配置されていることを特徴とする請求項１乃至５のいずれか一項に記載のコップ蓋（１００；１００’）。
【請求項７】
前記押し側板（１２）のうち前記旋回軸受（１４）の上方にある部分は、前記封鎖要素（１１）と結合されており、かつ前記押し側板（１２）の下の部分は少なくとも１つのスナップ突出部（１５）を有しており、前記スナップ突出部（１５）は、前記ベース要素（４０）におけるスナップ要素（４８）と噛み合い得ることを特徴とする請求項６に記載のコップ蓋（１００；１００’）。
【請求項８】
前記ベース要素（４０）は注ぎ出し部縁（４３）を有しており、前記注ぎ出し部縁（４３）は前記漏斗面（２３）の上方まで延びていること、および前記係止要素（１０）は、前記注ぎ出し部縁（４３）の上に覆いかぶさっていることを特徴とする請求項６または７に記載のコップ蓋（１００；１００’）。
【請求項９】
前記係止要素（１０）の旋回角度は、前記注ぎ出し部縁（４３）によっておよび／または前記キャップ（２０）内の前記係止要素（１０）をガイドしている切抜き部によって制限されていることを特徴とする請求項８に記載のコップ蓋（１００；１００’）。
【請求項１０】
前記球（３０）は鋼球であることを特徴とする請求項１乃至９のいずれか一項に記載のコップ蓋（１００；１００’）。
【請求項１１】
前記封鎖要素（１１）はその上側に少なくとも１つのガイドリブ（１９）を有しており、前記ガイドリブ（１９）は、前記キャップ上部（２１）内の少なくとも１つのガイド面（２９）でガイドされていることを特徴とする請求項１乃至１０のいずれか一項に記載のコップ蓋（１００；１００’）。
【請求項１２】
キャップ上部（２１）とキャップ下部（２２’）の間に形成された前記中空空間（２５’）内に、少なくとも１つの緩衝性の要素（２６’）または緩衝性のコーティングが配置されていることを特徴とする請求項１乃至１１のいずれか一項に記載のコップ蓋（１００；１００’）。
【請求項１３】
少なくとも、飲用容器（２００）および請求項１乃至１２のいずれか一項に記載のコップ蓋（１００；１００’）を含んでいるコップ（１００；１００’）。
【発明の詳細な説明】
【技術分野】
【０００１】
本発明は、請求項１のプリアンブルの特徴を有する飲用ボトル密閉蓋に関する。
【背景技術】
【０００２】
冒頭に挙げた種類の飲用ボトル密閉蓋は、それが、とりわけ魔法瓶のような容器を、一方では密閉状態で確実に密封し、ボトルからの飲料の流出を阻止するように、他方ではボトルから直接飲むことを可能にするように、密閉するために利用される。飲むために、飲み口として使用できる例えば高く引き上げられた縁を設けることができる。キャップをその閉じた位置にもっていくと、それをベース要素に固定することができる。キャップは、飲み口および注ぎ出し部領域を覆い、これによりそれらを汚れから保護する。そのうえキャップはその下側に封止要素を有しており、これらの封止要素により、ベース要素内の飲料用の流出開口部ならびに場合によってはベース内の追加的な通気および排気開口部が、同時に密閉される。ベース要素が飲用ボトルの首に対して確実に密封し、かつベース要素内の両方の開口部の密閉も確実に可能である。したがって飲料の故意でない流出はもはや、このような飲用ボトル密閉蓋を備えた飲用ボトルを寝かせた位置で輸送し、加えてその際に故意でなくベース要素におけるキャップの係止が外れる場合にしか起こり得ない。ただしキャップの係止はさらに、片手だけで容易に外れ、かつ再び成立するべきである。流出防護性を高め得るかもしれない多重の係止は、使いやすさを強く制限しすぎるだろう。
【発明の概要】
【発明が解決しようとする課題】
【０００３】
したがって本発明の課題は、冒頭に挙げた種類の飲用ボトル密閉蓋を、それが片手で扱えるままであり、しかしキャップの故意でない係止解除が、それが流出の危険にさらされた位置にある場合に、つまり直立で垂直な位置から著しく逸脱する位置にある場合に阻止されるように改善することにある。
【課題を解決するための手段】
【０００４】
この課題は本発明により、保護請求項１の特徴を有する飲用ボトル密閉蓋によって解決される。
【０００５】
本発明の基本的思想は、飲用ボトル密閉蓋が正確に直立の姿勢にない場合に常に、ベースとキャップの間の結合が故意でなく外れるのを阻止する傾斜依存性の封鎖をつくりだすことにある。このために球により、重力に従う封鎖要素を設け、この封鎖要素は、飲用ボトル密閉蓋が垂直な姿勢で立っていない間は、キャップの係止メカニズム内の可動の部分の間にある。垂直な向きでなくなると、球が自動的に、キャップ下部および係止要素の下側での、両方の向かい合っている、とりわけ球状に湾曲した面の間の隙間に転がり込み、この係止要素は、−垂直な−係止位置または封鎖位置がとられるとすぐに、キャップ下部内のいわゆる漏斗面の上方に浮く。
【０００６】
漏斗面と係止要素の天井面との間の隙間は、一定の高さで形成されることが好ましい。いずれにしても、これらの面の間の高さは常に球直径より少し大きく、したがって球はその移動範囲の中では決して隙間内でひっかかって動かなくなり得ない。
【０００７】
飲用ボトル密閉蓋が、直立で垂直な姿勢をとった場合にのみ、係止解除が可能である。このためには球が重力に基づき、漏斗面の中心部に転がり込んでいなければならない。中心部およびそこで止まっている球の正確に上方に、係止要素内の鐘形の球収容部が位置決めされている。この場合に係止要素がキャップの外側から押されると、係止要素はその中空空間で、このポジションでだけ封鎖性に作用しない球にすっぽりとかぶさり、これにより下方運動を実施することができる。係止要素は、シーソーの方式に基づいて形成されており、かつ旋回可動式にベース要素で支持されているので、シーソー運動により、係止要素とベース要素のスナップ係止を外すことができる。その後はキャップを開くことができ、これにより、飲み口を備えた注ぎ出し部領域が露出する。そのうえキャップの高旋回により、封止要素が注ぎ出し開口部および通気開口部から持ち上げられる。利用後は、キャップを再びその閉じた位置にもっていき、好ましくはキャップの外側にある押し側板を押すことで、スナップ結合が再び成立する。同時に、キャップ内の中空空間の中に配置されている封鎖要素も上に旋回し、球を再び解放する。球が転がる漏斗面とその上にある封鎖要素の天井面との間に隙間空間が形成される。よって球は再び、飲用ボトル密閉蓋が垂直に対して傾斜した位置をとる場合にはいつでも、隙間に転がり込むことができる。
【０００８】
不可欠なのは、球状に湾曲した面の形成だけでなく、球がこれらの面の外縁で何らかの制限を受けることである。これは、漏斗面の縁側の立ち上がりによって実現することができる。球の進路に径方向の制限をつくりだすために、リング形の突起片を天井面から下に突き出させてもよい。つまり球の移動空間は、キャップ下部および封鎖要素だけで構成される。したがってキャップ上部を、縁なし帽状におよび閉鎖的な形態で形成することは絶対に必要なわけではない。
【０００９】
それにもかかわらずキャップ上部を閉鎖的に形成すること、およびキャップ上部とキャップ下部の間に中空空間を設けることが有利である。こうすることで、ユーザの唇および飲料と接触する領域が汚れから効果的に保護される。そのうえ球のための収容空間も汚れから保護され、したがってそれが、例えばべとべとした面にくっついたままにならない。
【００１０】
球は、研磨されたステンレス鋼から成ることが好ましい。これによりそれは高い比重を有し、飲用ボトル密閉蓋が再び直立のポジションにもっていかれた場合に漏斗面の中心部に特に確実に転がり戻る。
【図面の簡単な説明】
【００１１】
以下に、図に示した例示的実施形態を参照しながら本発明をより詳しく説明する。図はそれぞれ断面図で示している。
【図１】係止されたキャップを備えた第１の実施形態に基づく飲用ボトル密閉蓋の縦断面図である。
【図２】図１中の線Ａ−Ａに沿った飲用ボトル密閉蓋の横断面図である。
【図３】係止解除された位置での飲用ボトル密閉蓋の縦断面図である。
【図４】封鎖位置での飲用ボトル密閉蓋の縦断面図である。
【図５】開かれたキャップを備えた飲用ボトル密閉蓋の縦断面図である。
【図６】係止されたキャップを備えた第２の実施形態に基づく飲用ボトル密閉蓋の縦断面図である。
【発明を実施するための形態】
【００１２】
図１は、ベース要素４０で飲用ボトル２００上にねじ締められた飲用ボトル密閉蓋１００を縦断面図で示している。この断面は、キャップ２０のための関節継手４４が設けられている裏側から、係止要素１０を扱うための押し側板１２が配置されている表側まで延びている。
【００１３】
係止要素１０は、押し側板１２の領域内で軸受１４により、キャップ２０における軸２７の周りを旋回可能である。それは、飲み口または注ぎ出し部縁４３を越えて上へと延びており、さらにキャップ２０内のスリットを通って、キャップ上部２１とキャップ下部２２の間に配置されている内部の中空空間２５内へと延びている。押し側板１２を比較的容易にベース要素４０に噛み合わせるプリロードを生成するため、バネを設けることができる。
【００１４】
リングパッキン７０が、ベース要素４０をボトル首の内側に対して密封している。ベース要素４０はその底面内で、注ぎ出し開口部４１および通気開口部４２を有している。開口部４１、４２は、キャップ下部２２の下側に固定されているエラストマー性の封止栓６１、６２によって密閉される。封止栓６１、６２は、キャップ下部２２の外側を囲む統一的なエラストマー性の封止要素６０の一部である。
【００１５】
キャップ下部２２の底面の上方には、注ぎ出し部縁４３によって包囲された注ぎ出し部空間４５が形成されている。飲用ボトル密閉蓋１００を介して直接的に飲むために、注ぎ出し部縁４３を飲み口として役立てることができる。
【００１６】
ベース部４０上にキャップ２０を載せ、係止要素１０をスナップ突出部１５で、ベース要素４０におけるスナップ突出部４８の下に噛み合わせることにより、キャップ２０の閉じた位置が成立および確保される。たとえ飲用ボトル密閉蓋１００を備えた飲用ボトル２００を図４に示した水平な姿勢にもっていっても、飲用ボトル２００の中空空間２０２から飲料が流出し得ない。
【００１７】
図２は、図１に対して９０°ずらした、矢印を付けた線の面内の断面を、それもキャップ２０のための関節継手４４を有する裏側から示している。視線方向は、キャップ２０の上昇している上面に沿って進み、そこではみ出ている係止要素１０をさらに認識させる。
【００１８】
係止要素１０は、図示した例示的実施形態では全部で３つの平行なガイドリブ１９を有しており、このガイドリブ１９は、キャップ上部２１から中空空間に突き出ている全部で４つのガイド面２９の間でガイドされている。こうすることで、球３０のための球収容部１７を備えている封鎖要素１１が、図１に基づく断面内での傾斜運動しか実行できず、しかしながらそれを横切る動きは実行できないことが達成される。これにより飲用ボトル密閉蓋１００が直立の姿勢にある場合に、天井面１３内の球収容部１７が、漏斗面２３内の球３０がある最も深い地点の上方に厳密に中心合わせされる。
【００１９】
図３では、キャップ２０の係止解除された位置を図示している。このために、押し側板１２がその上の縁領域内で、そこで隣接している封鎖要素１１への移行部を押される。この操作領域と軸２７の間の距離は、軸２７と押し側板１２の下の端部におけるスナップ要素１５との間隔より明らかに大きい。この拡大されたレバーアームにより、スナップ結合を外すのが容易になっている。係止要素１０は、それが飲み口４３におよび／またはキャップ上部２１内の切抜き部２８の縁にぶつかるまでは、軸２７の周りを旋回することができる。
【００２０】
同時に封鎖要素１１が沈下する。漏斗面２３の中心部にある球３０が少なくとも部分的には球収容部１７に押し込まれ、したがって封鎖要素１１は、それがキャップ下部２２に載るまで下に動くことができる。同じように複数の地点に設けられた、係止要素１０の旋回進路の形状結合式の制限により、たとえユーザが比較的大きな力で押し側板１２を押しても、この要素の過負荷は回避される。
【００２１】
本発明による飲用ボトル密閉蓋１００の最も重要な機能は図４から明らかである。これは、キャップ２０がベース要素４０に載っている図１に基づく閉じた位置に実質的に対応している。封止栓６１、６２は開口部４１、４２を密閉しており、かつスナップ要素１５、４８が噛み合っている。
【００２２】
ただし球３０は、もう漏斗面２３の中心部にはポジショニングされておらず、球収容部１７内に留まっていることもできない。なぜなら球収容部の深さが意図的に、図３に示した封鎖要素１１の沈下運動は可能であるが、ただしすべてのその他の位置では球３０が球収容部１７から転がり出られるように、浅くしか形成されていないからである。天井面１３と漏斗面２３の間隔は、球の直径より少なくとも少しは大きく、したがってそれは、中空空間内を移動することができ、よって重力に従って中心部から出ていく。このとき開放メカニズムがブロックされている。すなわち球状の面１３、２３の間の隙間内での球３０の図４に示したポジションでは、封鎖要素１１を動かせず、したがって封鎖要素１１の進路が球３０によってブロックされている間は、要素１５、４８でのスナップ結合が外れることもあり得ない。飲用ボトル密閉蓋１００が、図１に基づくその垂直なポジションに戻された場合に初めて、球３０は、再び中心部にあり、図３での表示に基づいて封鎖要素１１内の球収容部１７内に収容され得る。
【００２３】
ただし、予め押し側板１２を噛み合った位置にもっていかずに、飲用ボトル密閉蓋１００を寝かせたポジションにもっていった場合、それがまだ後から可能であり、それも球３０による封鎖要素１１のブロックにもかかわらず可能である。このために係止要素１０は、とりわけ封鎖要素１１と押し側板１２の間の移行領域で十分に弾性に形成されている。
【００２４】
図５では、飲用ボトル密閉蓋１００のキャップ２０が、関節継手４４の周りを約１８０°外へ旋回している。これにより、飲むために飲み口４３および注ぎ出し部空間４５およびさらに開口部４１、４２が露出している。球３０は、中空空間２５内で重力に従っており、漏斗面２３と天井面１３の間の隙間内にある。
【００２５】
図６は、飲用ボトル密閉蓋１００’のさらなる一実施形態を示した。これに関し第１の実施形態と比較して異なるのは、金属の球３０がキャップ２０内の壁にぶつかるときの騒音を減衰するために、騒音減衰部が設けられていることである。騒音減衰のため、飲用ボトル密閉蓋１００’は中空空間２５’内に複数のエラストマー性のくさび６３’を内包しており、くさび６３’は、キャップ下部２２’内の開口部を通り抜けて径方向に中空空間２５’内へと延びている。くさび６３’の素材に基づいて既に音響減衰が達成される。加えてくさび形状により、球３０は、それが径方向にキャップ下部２２’の外壁にぶつかり得る前に、中空空間２５’の外側領域内でくさび６３’の下に入って制止される。音響減衰のために設けられたくさび６３’は、示した実施形態では、封鎖位置で注ぎ出し開口部および排気開口部４１、４２の密封に役立つ封止栓６１’、６２’も含むエラストマー性の封止および減衰要素６０’に組み込まれている。
【００２６】
飲用ボトル密閉蓋１００’は、ドーム形の球収容部１７’の先端部にエラストマー性の減衰要素１７．１’をさらに有している。球３０が球収容部１７’の中にある係止解除位置では、減衰要素１７．１’が球３０を漏斗面２３に押しつけて球３０の移動を完全に阻むか、またはそれが球３０の少なくとも上への進路を制限し、よってそれが球収容部１７’の壁に激しくぶつかる可能性はない。
【図１】
2019514808.tif 000003
【図２】
2019514808.tif 000004
【図３】
2019514808.tif 000005
【図４】
2019514808.tif 000006
【図５】
2019514808.tif 000007
【図６】
2019514808.tif 000008
【国際調査報告】
2019514808.tif 000009
2019514808.tif 000010
2019514808.tif 000011
2019514808.tif 000012